(57)【特許請求の範囲】
【請求項１】
枠部材と、前面の遊技領域が前記枠部材の開口から前面側に対向した立設状態で前記枠部材により保持される遊技盤と、前記枠部材の前面側に設けられ遊技球を貯留する上球皿及び下球皿と、前記枠部材の裏面側に後方に向けて開閉自在にヒンジ連結され常には前記遊技盤の裏面側を覆う閉止位置に保持されて用いられる裏セット盤とを備えて構成され、
前記遊技領域に、ここを落下移動する遊技球が入賞可能な入賞具と前記入賞具に入賞せずに落下した遊技球を集めるアウト口とが設けられ、前記遊技盤に、前記入賞具に入賞した遊技球を前記遊技盤の裏面側に排出させるセーフ球通路孔と前記アウト口に集められた遊技球を前記遊技盤の裏面側に排出させるアウト球通路孔とが形成され、
前記裏セット盤には、
前記裏セット盤の裏面側の壁面部に表面方向に起立するとともに、左右に所定間隔をおいて上下に延びて形成された側壁部および前記左右の側壁部から中央の導出口に向けて緩く下傾して形成された通路壁部を有し、前記裏セット盤を前記閉止位置に保持させた閉鎖姿勢において前記側壁部および前記通路壁部の前端面が前記遊技盤の裏面側に当接して、前記遊技盤の裏面と前記裏セット盤の裏面側の前記壁面部、左右の前記側壁部および前記通路壁部とに囲まれて前記セーフ球通路孔および前記アウト球通路孔を通って前記遊技盤の裏面側に排出された遊技済み球を集合させる遊技済み球集合通路が前記裏セット盤の表面側に形成されるとともに、
前記遊技済み球集合通路の下側に位置する前記裏セット盤の裏面側に、前記上球皿が遊技球で充満された状態でさらに遊技球が払い出されたときに払い出された遊技球を下球皿に導く下球皿払出通路と、前記導出口において前記遊技済み球集合通路と繋がり前記遊技済み球集合通路で集められた遊技済み球を前記裏セット盤の下部へ導く遊技済み球排出通路とが形成され、
前記枠部材には、
前記裏セット盤の閉鎖姿勢において前記下球皿払出通路の下方に位置して前記下球皿払出通路の排出開口と対向する後方開口を有し、前記下球皿払出通路を通って導かれた遊技球を前記下球皿に流下させる賞球バケットが前記枠部材の裏面側に設けられるとともに、前記裏セット盤の閉鎖姿勢において前記遊技済み球排出通路の下方に位置して前記遊技済み球排出通路の排出口と対向する上端開口を有して上下に延び、前記遊技済み球排出通路を通って流下する遊技済み球を下端開口から外部に排出させるダクト部材が前記枠部材の裏面側に後方に突出して固定配設され、
前記ダクト部材は、前記賞球バケットよりも下方に延びて設けられるとともに、内部に段差を有し前記上端開口よりも前記下端開口が小さく形成されることを特徴とする弾球遊技機。
【請求項２】
前記裏セット盤には、前記裏セット盤の裏面側の前記壁面部の上端から前記裏セット盤の表面側に向けて延びる天井壁部を有し、前記裏セット盤の閉鎖姿勢において前記裏セット盤の裏面側の前記壁面部及び前記天井壁部が前記遊技盤の下部領域の後方を覆うように構成したことを特徴とする請求項１に記載の弾球遊技機。
【発明の詳細な説明】
【０００１】
【発明の属する技術分野】
本発明は、パチンコ機に代表される弾球遊技機に関し、さらに詳しくは、略方形状の枠部材（例えば、前枠もしくはここに取り付けられた収容枠）により遊技盤を立設状態に保持するとともに、遊技盤前面の遊技領域を枠部材の開口から前面側に対向させて構成され、枠部材の裏面側に開閉自在に且つ遊技盤を覆って閉止保持される裏セット盤を備えて構成される弾球遊技機に関する。
【０００２】
【従来の技術】
従来から一般的に良く知られているパチンコ機においては、遊技者が遊技球発射装置を操作して遊技球を遊技盤前面の遊技領域内に発射し、この遊技球を遊技領域内で落下移動させるように構成され、このように落下移動する遊技球が遊技領域内に設けられた入賞具に入り込んで入賞したときに、この入賞遊技球（これをセーフ球と称する）に対して所定の数の賞品遊技球（これを賞球と称する）を払い出すようになっている。なお、入賞具に入賞せずに遊技領域下部に落下した遊技球（これをアウト球と称する）は、遊技領域下部に形成されたアウト口に集められるようになっている。このような従来のパチンコ機において、枠部材の裏面側に裏セット盤と称される装置（裏機構盤とも称される）を開閉自在に且つ遊技盤裏面を覆うようにして閉止保持して取り付け、この裏セット盤によりセーフ球およびアウト球の排出処理や、セーフ球に対する賞球の払い出し処理を行うように構成されている。
【０００３】
この構成についてもう少し具体的に説明する。まず、遊技盤前面の遊技領域には複数の入賞具が設けられており、各入賞具に入賞したセーフ球は遊技盤を通ってその裏側に排出されるようになっている。遊技盤の裏面には、遊技盤の裏側に排出されたセーフ球のみを集める裏カバーが取り付けられてセーフ球集合通路が形成されており、裏セット盤にはセーフ球集合通路で集められたセーフ球を一時貯留させて１個ずつセーフ球検出器で検出し払出処理した後、パチンコ機の裏側下方に配設された遊技ホールの回収バケットに排出させるセーフ球排出通路が設けられている。また、アウト口に集められたアウト球は遊技盤を通ってその裏側に排出されるようになっており、裏セット盤には遊技盤の裏側に排出されたアウト球を受け取り、遊技ホールの回収バケットに排出させるアウト球排出通路が形成されている。
【０００４】
また、裏セット盤は、上部に予備賞球を貯留する予備賞球貯留機構と、この貯留機構を構成するタンク部材に貯留された予備賞球を上記入賞検出器によるセーフ球の検出に応じて払い出す賞球払出機構とを備え、賞球払出機構により払い出された賞球を遊技機前面の上球皿に排出させる上球皿払出通路が裏セット盤に形成されている。さらに、上球皿に多数の賞球が排出されて一杯になり上球皿払出通路内にまで溢れるときに、溢れた賞球を下球皿に流す下球皿払出通路も裏セット盤に形成されている。
【０００５】
【発明が解決しようとする課題】
このように、裏セット盤には、セーフ球排出通路、アウト球排出通路、上球皿払出通路、下球皿払出通路等をそれぞれ独立させて形成する必要がある。ところがこのように複数の通路を独立して形成するためには、これら通路を立体交差形態で設ける構成が必要となり、裏セット盤の構成が複雑化するという問題がある。また、アウト球とセーフ球とを分離したうえ別個の集合経路に集合させる必要があるため、役物とアウト口との配設位置関係が一定の制約を受けるうえ、遊技盤の裏カバーと裏セット盤との相互の形状が複雑化するという問題があった。さらに、裏セット盤には遊技機の作動制御等のために複数の制御回路基板が取り付けられるが、上記立体的な通路配置により裏セット盤の裏面が凹凸化して平坦な取付スペースが少なく、基板を取り付けるためにボスを設けて基板を浮かせたり、複数の基板を重ねて配置する必要が生じるなど、構造の複雑化に加えて組み立て工数の増加やメンテナンス性が低下するなどの問題も生じていた。
【０００６】
本発明はこのような事情に鑑みて成されたものであり、遊技機の通路構成を簡明化して遊技機全体の生産コストを低減させるとともに、裏セット盤の裏面を平坦化して基板取付スペースを確保し、組み立て性やメンテナンス性に優れた弾球遊技機を提供することを目的とする。
【０００７】
【課題を解決するための手段】
上記目的達成のため、本発明に係る弾球遊技機は、枠部材と、前面の遊技領域がこの枠部材の開口から前面側に対向した立設状態で保持される遊技盤と、枠部材の前面側に設けられ遊技球を貯留する上球皿及び下球皿と、枠部材の裏面側に後方に向けて開閉自在にヒンジ連結され常には遊技盤の裏面側を覆う閉止位置に保持されて用いられる裏セット盤とを備えて構成される。そして、遊技盤の前面の遊技領域に、ここを落下移動する遊技球が入賞可能な入賞具と入賞具に入賞せずに落下した遊技球を集めるアウト口とが形成され、遊技盤には、入賞具に入賞した遊技球（セーフ球）を遊技盤の裏面側に排出させるセーフ球通路孔とアウト口に集められた遊技球（アウト球）を遊技盤の裏面側に排出させるアウト球通路孔とが形成される。裏セット盤には、裏セット盤の裏面側の壁面部に表面方向に起立するとともに、左右に所定間隔をおいて上下に延びて形成された側壁部および左右の側壁部から中央の導出口に向けて緩く下傾して形成された通路壁部（例えば、実施形態における第１〜第３集合樋７１ａ〜７１ｃ）を有し、裏セット盤を閉止位置に保持させた閉鎖姿勢において側壁部および通路壁部の前端面が遊技盤の裏面側に当接して、遊技盤の裏面と裏セット盤の裏面側の壁面部、左右の側壁部および通路壁部とに囲まれてセーフ球通路孔およびアウト球通路孔を通って遊技盤の裏面側に排出された遊技済み球を集合させる遊技済み球集合通路が裏セット盤の表面側に形成されるとともに、遊技済み球集合通路の下側に位置する裏セット盤の裏面側に、上球皿が遊技球で充満された状態でさらに遊技球が払い出されたときに払い出された遊技球を下球皿に導く下球皿払出通路と、上記導出口において遊技済み球集合通路と繋がり遊技済み球集合通路で集められた遊技済み球を裏セット盤の下部へ導く遊技済み球排出通路とが形成される。また、枠部材には、裏セット盤の閉鎖姿勢において下球皿払出通路の下方に位置して下球皿払出通路の排出開口と対向する後方開口を有し、下球皿払出通路を通って導かれた遊技球を下球皿に流下させる賞球バケットが枠部材の裏面側に設けられるとともに、裏セット盤の閉鎖姿勢において遊技済み球排出通路の下方に位置して遊技済み球排出通路の排出口と対向する上端開口を有して上下に延び、遊技済み球排出通路を通って流下する遊技済み球を下端開口から外部に排出させるダクト部材が枠部材の裏面側に後方に突出して固定配設され、ダクト部材は、賞球バケットよりも下方に延びて設けられるとともに、内部に段差を有し上端開口よりも下端開口が小さく形成されて弾球遊技機が構成される。
【０００８】
このような構成の弾球遊技機では、遊技盤の裏面に閉止保持される裏セット盤に形成された遊技済み球集合通路により、セーフ球通路孔から排出される遊技球（セーフ球）およびアウト球通路孔から排出される遊技球（アウト球）を遊技済み球として集合させるため、遊技盤面からの遊技済み球を裏セット盤に設けた一本の遊技済み球排出通路で下方に導くことができ、これを回収バケットに排出して遊技ホール側に回収させることができる。なお、各入賞具には入賞した遊技球を検出する入賞検出器が設けられる。
【０００９】
このように、裏セット盤に形成される遊技済み球集合通路により遊技済み球（セーフ球およびアウト球）を集合させるとともに、集めた遊技済み球を遊技済み球排出通路を通して排出させるため、遊技済み球の通路構成を単純化して裏セット盤の構成を簡単にすることができる。また、また、遊技盤の裏カバーと裏セット盤とはアウト球とセーフ球とを分離して各々集合させる必要がないため、裏カバーおよび裏セット盤の形状をともに簡明化することができる。さらに、裏セット盤における遊技済み球の排出通路と、上球皿払出通路とを左右にずらせて重ならないように配設することが可能であり、これにより、通路の立体交差状態を解消して裏セット盤の裏面を平坦に形成することができ、裏セット盤の裏面に平坦な基板取付スペースを確保することができる。また、遊技済み球排出通路の下方に位置して上下に延びるダクト部材の内部に段差を設けて上端開口よりも下端開口が小さく形成し、このようなダクト部材を枠部材の裏面側に後方に突出して固定配設しているため下端開口から排出される遊技済み球の落下速度が緩和されるとともに落下方向が一定範囲に規制され、遊技ホール側の回収バケットに向けて遊技済み球が散乱するようなことがない。
なお、裏セット盤には、上記裏セット盤の裏面側の壁面部の上端から裏セット盤の表面側に向けて延びる天井壁部を有し、裏セット盤の閉鎖姿勢において裏面側の壁面部及び天井壁部が遊技盤の下部領域の後方を覆うように構成することが好ましい。
【００１０】
【発明の実施の形態】
以下、本発明の好ましい実施形態について添付図面を参照しながら説明する。実施例では本発明に係る弾球遊技機の代表例としてパチンコ機を採り上げ、このパチンコ機の裏セット盤に本発明を適用した場合を主として説明する。まず、本発明が適用されるパチンコ機ＰＭについてその概要構成を図１から図４を参照して要約説明する。なお、図１はパチンコ機ＰＭを正面から見た正面図、図２はパチンコ機ＰＭを裏面から見た背面図（遊技盤の裏面構成を記載省略している）、図３は裏セット盤ＢＳＰから各種制御基板やカバー類を取り外した状態で示す背面図、図４はさらに裏セット盤を取り外した状態で遊技盤２０の裏面構成を示す背面図を示している。
【００１１】
パチンコ機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取り付けられ、正面右側に設けられた施錠装置４を利用して外枠１と係合された閉鎖状態で遊技に供される。
【００１２】
前枠２の正面側には、前枠２の前側面域に合わせた方形状のガラス扉５および上球皿６がともに横開き開閉及び着脱が可能に組付けられており、施錠装置４および図示しないロック機構を利用して前枠２の前面を覆う閉止状態で保持される。上球皿６には払い出された遊技球を貯留して整列させる球皿部６ａが設けられるとともに、球皿部に貯留する遊技球を下球皿７に排出させる球抜きレバー６ｂが設けられている。前枠２の下部には球皿部７ａおよび球出口７ｅを有する下球皿７が設けられ、この下球皿７と並んで遊技球の発射操作を行う操作ハンドル８が取り付けられている。
【００１３】
前枠２の裏側には、この前枠２と一体に方形枠状の収容枠２ａが成形されており、この収容枠２ａに所定のゲージ設定で構成された遊技盤２０が複数の係合レバー１７，１７…により着脱交換可能にセット保持される。収容枠２ａは遊技盤２０をセット保持したときに、遊技盤２０の前面が閉鎖状態にあるガラス扉５のガラス板と所定間隔をおいて対向するように構成されており、遊技盤面とガラス板内面との間に遊技球が落下移動する遊技領域空間が形成される。
【００１４】
また、前枠２の裏側下部には打球発射装置９が取り付けられ、前枠２の表側における収容枠２ａの下部には、前枠２と一体に遊技補助盤１０が形成されている（図７〜図９参照）。遊技補助盤１０の表側には打球発射装置９のハンマーと位置整合して遊技球を遊技盤の外レールに向けて発射する発射レールや、効果音を発生するスピーカ等が取り付けられている。遊技補助盤１０は上球皿６の裏側に位置し、その表面側が常には閉鎖状態に保持される上球皿６により覆われている。
【００１５】
収容枠２ａの裏側に球貯留供給機構４０や賞球払出機構５０等を有する裏セット盤ＢＳＰが上下のヒンジ１８，１８で横開き開閉及び着脱が可能に装備され、常には閉鎖レバー１９，１９…を用いて遊技盤２０の裏面を覆うように閉鎖保持される。裏セット盤ＢＳＰの各部には主制御基板９１や賞球制御基板９２、ランプ・音声制御基板９３、電源基板９４、中継基板９５、ターミナル基板９６等の各種基板や賞球カセット５２などの電子部品が取り付けられ、各機器が図示しないワイヤーハーネスで接続される。パチンコ機ＰＭは、全体が所要の後傾角度（例えば、１度以内の後傾角）で遊技施設の遊技島に縦向きに保持される。
【００１６】
パチンコ機ＰＭは、上球皿６およびガラス扉５が閉止施錠された状態（図１に示す状態）で遊技に供され、球皿部６ａに遊技球を貯留させて操作ハンドル８を回動操作することにより遊技が開始される。操作ハンドル８の操作レバーが回動操作されると、球皿部６ａに貯留する遊技球が図示省略する球送り装置によって１球ずつ発射レール上に送り出され、打球発射装置９のハンマーに打ち出されて遊技盤２０の外レール２２ａに沿って遊技領域ＰＡに導かれ、以降パチンコゲームが展開される。
【００１７】
さて、このように概要構成されるパチンコ機ＰＭにおいて、遊技盤２０は所定板厚の積層合板の表面にセルが貼り付けられた化粧板２１の前面側に、帯状の外レール２２ａおよび内レール２２ｂ（これらを合わせて案内レール２２と称する）が固設され、この案内レール２２に囲まれた内側に遊技領域ＰＡが区画される。遊技領域ＰＡ内には多数本の遊技釘とともに、複数の風車２３、一般入賞具２４や始動入賞具２５並びにアタッカー装置２６などの入賞具、周囲に飾り部を有した図柄表示装置２８などが設けられている。
【００１８】
一般入賞具２４は、遊技球が落入可能な入賞孔を有し、ここに入賞した遊技球を検出する入賞球検出センサ（具体的には、遊技球の通過を磁気的または光学的に検出するセンサ）が取り付けられている。一般入賞具２４の後側には化粧板２１を貫通するセーフ球通路孔２４ｈが設けられており、一般入賞具２４に入賞したセーフ球はセーフ球通路孔２４ｈを通って遊技盤２０の裏面側に排出される（図９参照）。
【００１９】
始動入賞具２５は、いわゆる電動チューリップ構成の入賞具からなり、左右のチューリップ羽根を開閉させることができる。この始動入賞具２５にも入賞した遊技球を検出する入賞球検出センサが取り付けられるとともに、その後側に化粧板２１を貫通するセーフ球通路孔（不図示）が設けられており、始動入賞具２５に入賞したセーフ球はセーフ球通路孔を通って遊技盤２０の裏面側に排出される。
【００２０】
アタッカー装置２６は、中央に横長方形状の開口からなる大入賞口を有し、この大入賞口を開閉自在に覆って開閉扉が取り付けられている。開閉扉は通常閉止されており、遊技中において所定の遊技条件の下で特別遊技状態が成立したときに、開閉扉が前方にほぼ９０度倒されて大入賞口が開放される。大入賞口内には左右二つの入賞口が設けられ、それぞれに入賞球検出センサが取り付けられるとともに、このアタッカー装置２６の後側に上記二つの入賞口に繋がって化粧板２１を貫通する二つのセーフ球通路孔２６ｈ，２６ｈが設けられている。大入賞口から入ったセーフ球はセーフ球通路孔２６ｈ，２６ｈを通って遊技盤２０の裏面側に排出される。
【００２１】
各入賞具２４，２５，２６に遊技球が入賞すると、各入賞具に取り付けられた入賞球検出センサによって入賞したセーフ球が検出され、その入賞具の種類や遊技状況に応じた所定数の賞球が後述する賞球払出機構５０から上球皿６もしくは下球皿７に払い出される。また、図柄表示装置２８は遊技盤の前面側に液晶表示パネルを有しており、遊技盤２０の裏面側に取り付けられた画像制御基板９７により制御されて遊技状況に応じた種々の表示がなされる。
【００２２】
遊技領域ＰＡの最下部には、入賞具２４，２５，２６に入賞せずに落下したアウト球を集合して排出させるアウト口２７が設けられている。アウト口２７の後側には化粧板２１を貫通してアウト球通路孔２７ｈが形成されており、アウト口２７に集められたアウト球がアウト球通路孔２７ｈを通って遊技盤２０の裏面側に排出される。化粧板２１の裏側にはセーフ球通路孔２４ｈ，２６ｈおよびアウト球通路孔２７ｈの裏側を覆い所定間隔をおいて不正防止用の裏カバー２９が固定され化粧盤裏面との間に排出空間を形成している。裏カバー２９の下端は開放されており、セーフ球通路孔およびアウト球通路孔を通って遊技盤２０の裏面に排出された遊技済み球が上記排出空間を化粧板２１の裏面に沿って下方に落下する。
【００２３】
遊技盤２０の背後に位置し、上下のヒンジ１８を利用して横開き開閉自在に取り付けられる裏セット盤ＢＳＰは、常には閉鎖レバー１９を用いて遊技盤２０の裏面を覆うように閉鎖保持される。裏セット盤ＢＳＰは、全体として収容枠２ａの背面外郭サイズよりも幾分大きめの縦長方形形状を成し、中央に遊技盤２０から突出する画像制御基板９７を受容する窓口３１を有して一体成形された基枠体３０をベースとして構成される。
【００２４】
裏セット盤を構成する基枠体３０には、窓口３１の上部に装備されて遊技球（予備賞球という）の貯留・供給処理を行う球貯留供給機構４０や、窓口３１の側方（背面図における右側方）に装備されて賞球の払い出し処理を行う賞球払出機構５０などの機構構成部品が取り付けられるとともに、賞球払出機構５０の下方に位置して払い出された遊技球（賞球という）を上下の球皿６，７に排出するための賞球払出経路６０、窓口３１の下方に位置して遊技盤２０から排出されるアウト球およびセーフ球（遊技済み球）を遊技施設側の回収バケットに排出させる遊技済み球排出経路７０などが形成されている。また、基枠体３０の背面には、前述した各制御基板が取り付けられる、平坦な基板取り付け部８１，８２，８３等が一体成形されており、各制御基板がそれぞれの基板取り付け部に形成された基枠側係合爪を利用して着脱可能に装備される。
【００２５】
基枠体３０の上部に取り付けられる球貯留供給機構４０は、予備賞球用のタンク部材４１、タンク部材４１内に貯留された予備賞球を整列して供給させる整列樋部材４２を有して構成される。整列樋部材４２は、タンク部材４１から供給された予備賞球を二列の予備賞球路に整列させて収容し傾斜下方の偏向出口４２ａに送り出す。偏向出口部には、整列された予備賞球の流れを停止可能な球止め部材４３が上下に揺動可能に取り付けられており、この球止め部材を閉止位置にすることで偏向出口４２ａから賞球払出装置５０への予備賞球の流れを停止させることができるように構成されている。なお、球止め部材４３は常には予備賞球の流路外に待避保持され、整列された予備賞球が偏向出口４２ａから賞球払出機構５０に送られる。
【００２６】
賞球払出機構５０は、偏向出口４２ａから送られた予備賞球を受けて所定数量の遊技球を待機保持させる賞球待機通路５１と、この賞球待機通路５１の下端部に配設されて待機保持された予備賞球を払い出す賞球カセット５２とを有して構成される。賞球カセット５２は、その内部にインペラとこのインペラを回転させるモータとを有し、入賞具２４，２５，２６への遊技球の入賞に応じて賞球制御基板９２から出力される払出指令信号に基づいてインペラを回転作動させ、指令信号に応じた数量の遊技球を賞球として賞球払出経路６０に払い出す。賞球カセット５２の下部には賞球カセット５２から送り出された賞球を計数して賞球制御基板９２にフィードバックする賞球検出センサ５３が設けられている。
【００２７】
賞球払出経路６０は、賞球カセット５２の下方に位置してこの賞球カセット５２から払い出された賞球を、遊技補助盤１０の上部に形成された通出口１０ｅを介して上球皿６に導く上球皿払出通路６１と、上球皿６に貯留する賞球が一杯になり上球皿払出通路６１から賞球を排出できなくなったときに、溢れる賞球を下球皿７に送り出す下球皿払出通路６５などから構成される。この賞球払出経路６０の詳細構成については後に詳述する。
【００２８】
さて、以上のように構成される裏セット盤ＢＳＰにあって、基枠体３０の表裏に遊技済み球排出経路７０が形成される。パチンコ機ＰＭから遊技盤２０を取り外した状態で裏セット盤の表面側を表す図面を図５に斜視図として示し、図３における窓口３１よりも下部の詳細図を図６に示す。また、図６中の矢印VII−VIIに沿った断面図を図７に、矢印VIII−VIIIに沿った断面図を図８に、矢印IX−IXに沿った断面図を図9に示す。なお、図３および図５では遊技済み球排出経路７０および賞球払出経路６０を明確に示すため、それぞれこれらの経路の後方を塞ぐ蓋部材３２（図２、図６〜図９を参照）や遊技盤２０等を取り外した状態で示している。
【００２９】
遊技済み球排出経路７０は、基枠体３０の表面側に形成されて遊技盤２０の裏面側に排出されるアウト球およびセーフ球を集合させる遊技済み球集合通路７１と、基枠体３０の裏面側に形成されて遊技済み球集合通路７１で集められた遊技済み球を裏セット盤ＢＳＰの下部に導く遊技済み球排出通路７５とからなり、遊技済み球排出通路７５の下方には、前枠２の裏面に取り付けられて遊技済み球排出通路７５から排出される遊技済み球を遊技施設側の回収バケット（不図示）に導くダクト７６が設けられている。
【００３０】
基枠体３０の表面側に形成される遊技済み球集合通路７１は、それぞれ左右端部から中央に向けて下傾された第１集合樋７１ａ、第２集合樋７１ｂおよび第３集合樋７１ｃを有し、裏セット盤ＢＳＰが前枠２に閉鎖された状態でセーフ球通路孔２４ｈ，２６ｈ等およびアウト球通路孔２７ｈの出口下方に位置し、各集合樋の前端面が化粧板２１の裏面に当接するように配設される。
【００３１】
遊技済み球集合通路７１の後方には、各通路孔の裏側を覆うように壁面部７２が立設されるとともに、この壁面部７２の上端から表側（遊技盤の裏カバー２９側）に向けて天井壁部７３が形成されており、図４中に二点鎖線で表示するように遊技盤２０の裏面下部を覆う蓋状に構成されている。天井壁面部７３の端面は裏セット盤ＢＳＰの閉鎖姿勢において裏カバー２９にほぼ当接するように形成されており、裏セット盤の外部から遊技済み球集合通路７１に遊技球が流入することを防止するとともに、入賞具に取り付けられたセーフ球検出器への不正操作を防止している。
【００３２】
第１集合樋７１ａと第２集合樋７１ｂとの間に、基枠体３０を前後に貫通して導出口７４が設けられ、基枠体３０の裏面側には導出口７４と繋がって遊技済み球を裏セット盤ＢＳＰの下部に導く遊技済み球排出通路７５が形成されている。遊技済み球排出通路７５は各図に示すように多段に屈曲して形成されており、導出口７４から落下する遊技済み球を受け止めて落下速度を緩和させる緩衝部７５ａ，７５ｂ，７５ｃが形成されている。
【００３３】
このため、セーフ球通路孔２４ｈ，２６ｈ等およびアウト球通路孔２７ｈを通って遊技盤２０の裏面側に排出され、化粧板２１の裏面に沿って落下する遊技済み球は、この遊技済み球集合通路７１の第１集合樋７１ａ、第２集合樋７１ｂまたは第３集合樋７１ｃに受け止められてこれらの樋上を転がり、傾斜下端の導出口７４から基枠体３０の裏面側の遊技済み球排出通路７５に導かれる。遊技済み球排出通路７５を落下する遊技済み球は、この排出通路７５に形成された緩衝部７５ａ，７５ｂ，７５ｃでその落下速度が和らげられ、下端の排出口７５ｅから排出される。
【００３４】
また、遊技済み球排出経路７５の排出口７５ｅの下方に位置してダクト７６が取り付けられている。図１０にダクト７６および賞球バケット６８の近傍領域の背面図を示し、図１０中の矢印XI−XIに沿った平面図を図１１に、この領域の斜視図を図１２に示す。各図から明らかなようにダクト７６は、上端開口７６ａおよび下端開口７６ｂを有して上下に延びる中空角筒状に形成されており、前枠２の裏面から後方に突出する支持脚６９にねじ止めされて、裏セット盤ＢＳＰが前枠２に閉止された閉鎖姿勢において、上端開口７６ａが遊技済み球排出通路７５の排出口７５ｅと対向する所定位置に配設される。
【００３５】
このため、遊技済み球排出通路７５を通って排出口７５ｅから排出される遊技済み球は、この排出口７５ｅと連絡する上端開口７６ａからダクト７６の内部を通って下端開口７６ｂに至り、この下端開口７６ｂからパチンコ機ＰＭの裏面側外部に排出される。パチンコ機ＰＭが配設される遊技島には、下端開口７６ｂから排出される遊技済み球を受け止める回収バケット（図示せず）が配設されており、遊技済み球は回収バケットから遊技ホール側に回収される。
【００３６】
このように、遊技済み球排出経路の排出口７５ｅの下部にダクト７６を設けた構成により、裏セット盤から落下する遊技済み球の落下方向が一定範囲に規制され、遊技ホール側の回収バケットに向けて遊技済み球が散乱するようなことがない。また、本実施例ではダクト７６の左右方向幅および表裏方向の高さを、遊技済み球排出経路７５の幅および高さよりも幾分小さめに設定しているため、遊技済み球の落下方向をより狭い範囲に規制することができる。さらに、図７中に二点鎖線で付記するように、ダクト７６の中間部に段差部を設けて下端開口を上端開口よりも小さく形成することにより、遊技済み球の落下方向をさらに狭い範囲に規制し、また落下速度をさらに緩和させることも可能である。
【００３７】
なお、図２に示すように、遊技済み球排出経路７０および賞球払出経路６０は、これらの経路の後方を塞ぐ一体の蓋部材３２で覆われており、蓋部材３２の表面が主制御基板９１の取付面８１や賞球制御基板９２の取付面８２と同一面に電源基板９４の取付面８４を構成する。
【００３８】
次に、賞球払出機構５０から払い出された賞球を上球皿６および下球皿７に排出する賞球払出経路６０の構成について、主に図６、図８および図９を参照しながら説明する。賞球払出経路６０は、大きくは上球皿６の球皿部６ａに通じる上球皿払出通路６１と、下球皿７の球皿部７ａに通じる下球皿払出通路６５とからなり、両通路は仕切壁６２で仕切られつつこの壁面の上部で連通し、一体となって賞球払出機構５０の出口に繋がっている。
【００３９】
上球皿払出通路６１は、賞球カセット５２の略直下に形成された賞球出口６１ｅを通り上球皿６の球皿部６ａに賞球を排出させる通路である。図１３にこの上球皿払出通路６１を主に表す平断面図を示している。賞球カセット５２から払い出された賞球は、上球皿払出通路６１を落下して賞球出口６１ｅから遊技補助盤１０に形成された通出口１０ｅ内に流れ、さらに上球皿６に設けられた通出樋６ｅを通って球皿部６ａ内に送り出される。
【００４０】
賞球出口６１ｅの左側面部には、上球皿払出通路６１と下球皿払出通路６５とを仕切る仕切壁６２が立設され、蓋部材３２にはこの仕切壁に近接して賞球を賞球出口６１に導くガイド部材６１ｇが設けられている。このため、上球皿払出通路６１を落下する賞球は、この仕切壁６２およびガイド部材６１ｇによって賞球出口６１ｅに導かれ上球皿６の球皿部６ａに送り出される。
【００４１】
一方、球皿部６ａが払い出された賞球で一杯になり、さらに通出樋６ｅ、通出口１０ｅおよび賞球出口６１ｅが賞球で充満して仕切壁６２の上端まで賞球が貯留された状態で、賞球払出機構５０からさらに賞球の払い出しが行われると、払い出された賞球は仕切壁６２で堰き止められた賞球を乗り越えて下球皿払出通路６５に溢れ出る。基枠体３０には、このように溢れ出ようとする賞球をスムーズに下球皿払出通路６５に導くべく、斜めに傾斜した溝状の第１迂回路６３ａが一体形成され、蓋部材３２にも同様に賞球を下球皿払出通路６５に導く第２迂回路６３ｂが形成されている。
【００４２】
このため、新たに払い出された賞球は仕切壁６２に堰き止められた賞球を乗り越えて下球皿払出通路６５に溢れ出るとともに、仕切壁６２の前後に位置する第１迂回路６３ａおよび第２迂回路６３ｂを通って下球皿払出通路６５に至り、この下球皿払出通路６５を通って通路の下端に形成された排出開口６５ｅに到達する。排出開口６５ｅの下部には前枠２から後方に突出する賞球バケット６８が設けられている。
【００４３】
賞球バケット６８は、図１０〜図１２に示したように、ダクト７６を支持する支持脚６９と一体成形されたバケット構造体６７に設けられている。賞球バケット６８は、各図に示すように全体として箱状を成し、その上部に突出形成された返し壁６８ｗを挟んで後方上面に後方開口６８ａ、前方上面に前方開口６８ｂを有し、左右並びに後部の壁面および前方下方に向けて傾斜する底面に囲まれたバケット空間６８ｓを形成する。賞球バケット６８は、バケット構造体６７が前枠２の裏面下部にねじ６７ａを利用してねじ止めされることで前枠裏面に取り付けられ、バケット空間６８ｓの前方が前枠２に形成された球出口７ｅと連通して下球皿７の球皿部７ａに繋がっている。バケット構造体６７の前縁部にはその下端が一部下方に延びて平坦な証紙貼付部６７ｂが設けられており、ここに証紙を貼付することができるようになっている。
【００４４】
賞球バケット６８に形成された後方開口６８ａは、裏セット盤ＢＳＰが前枠２の裏面に閉止された閉鎖姿勢において、前示した排出開口６５ｅと対向して位置し（図９参照）、下球皿払出通路６５を流下する賞球は、後方開口６８ａから賞球バケット６８のバケット空間６８ｓ内に流入し、球出口７ｅを通って下球皿７の球皿部７ａに排出される。従って、上球皿払出通路６１が払い出された賞球で一杯になった状態で、賞球払出機構５０からさらに賞球が払い出されたときに、溢れる賞球がこの溢れ球排出経路６５を通って下球皿７に供給され、遊技が中断されることなく続行される。
【００４５】
なお、下球皿払出通路６５の下部には、球詰まり検知レバー６６ａが捻りバネを利用して下球皿払出通路６５の内方に向けて付勢支持され、この検知レバー６６ａの角度位置を検出する球詰まり検知スイッチ６６ｂが図示のように配設されている。このため、下球皿７の球皿部７ａに賞球が一杯となり、球出口７ｅおよびバケット空間６８ｓに充満して、下球皿払出通路６５の下部にまで賞球が充満すると、球詰まり検知レバー６６ａが通路外方に揺動されて球詰まり検知スイッチ６６ｂがオン作動され、賞球の充満状態を検出できるようになっている。
【００４６】
ところで、賞球出口６１ｅの上方および背面視における左側方に、この出口の周囲を覆って前方に突出するガード壁３３が設けられている。図１４はこのガード壁３３を明示するため、図１３に示した閉止状態から裏セット盤ＢＳＰ（基枠体３０）を開いた状態を示しており、図示のようにガード壁３３は賞球出口６１ｅの上方および背面視における左側方を覆うように基枠体３０から前方に突出して一体成形されている。
【００４７】
ガード壁３３は裏セット盤ＢＳＰが閉止保持された状態で、遊技補助盤１０に設けられた通出口１０ｅの上方および左側方に位置し（図１３および図８を併せて参照）、裏セット盤側の賞球出口６１ｅと遊技補助盤側の通出口１０ｅとの連絡部において、これらの間に直線的な隙間が生じないように配設される。このため、上球皿の通出樋６ｅ側から通出口１０ｅを通して裏セット盤ＢＳＰと遊技盤２０との間に針金や薄肉金属片等を侵入させ、例えば、入賞具の賞球検出センサに悪戯を行うような不正行為を未然に且つ有効に防止して公正な遊技に供することができる。
【００４８】
賞球バケットの前方開口６８ｂは、この開口６８ｂの上方に位置して遊技補助盤１０の前後を連通する集合回収口１６と繋がっている。集合回収口１６は、打球発射装置９により発射された遊技球が遊技領域ＰＡに到達できず発射装置側に戻ってきたときにこの戻り球（ファール球と称される）を受けて回収するファール球回収路や、通出樋６ｅに遊技球が充満している状態で上球皿６を開放したときに通出樋６ｅや通出口１０ｅからこぼれる賞球を受容して回収するこぼれ球回収路（ともに不図示）と繋がっている。このため、これらの回収路を通って回収された遊技球は集合回収口１６からその下方に位置する前方開口６８ｂを通ってバケット空間６８ｓに落下し、球出口７ｅから球皿部７ａに回収される。
【００４９】
また、集合回収口１６の前方には閉鎖姿勢にある上球皿６の球抜き口６ｃが位置している。上球皿６には球皿部６ａに貯留する遊技球を球抜き口６ｃに導く球抜き路が形成されており、上球皿６に設けられた球抜きレバー６ｂが操作されたときに、球皿部に貯留する遊技球が球抜き路を通って球抜き口６ｃから集合回収口１６に排出され、この下方に位置する前方開口６８ｂからバケット空間６８ｓに落下して球出口７ｅから球皿部７ａに回収される。
【００５０】
このような構成にあって、賞球バケット６８の前後の開口６８ｂ，６８ａを隔てて上方に突出する返し壁６８ｗが、前方開口６８ｂの後壁となって基枠体３０の前端部を覆うようにオーバーラップして配設される。このため、下球皿の球出口７ｅから針金や薄肉金属片等を侵入させ、前方開口６８ｂから裏セット盤ＢＳＰと遊技補助盤１０との間に侵入させようとしても、この返し壁６８の存在によってこれらの間に侵入させることができず、従って、遊技盤裏面の賞球検出センサに悪戯を行う等の不正行為を未然に防止することができる。
【００５１】
なお、本実施例では、遊技盤２０の裏面側に入賞具の裏側を覆う裏カバー２９を設け、基枠体３０における遊技済み球集合通路７１の天井壁部７３がこの裏カバー２９にほぼ当接するように構成した例を開示したが、裏カバー２９を設けることなく、例えば、遊技済み球集合通路７１を画像処理基板９７の下端近傍まで拡大して設け、天井壁部７３の前端面を化粧板２１の裏面にほぼ当接するように設けて構成することも可能である。
【００５２】
また、本実施例では、部品点数と取り付け工数を削減するため、ダクト７６の支持脚６９と賞球バケット６８とを一体のバケット構造体６７として構成した例を開示したが、機能面においては、これらをそれぞれ独立して形成したうえ各々を前枠２の下部に取り付ける構成であっても良く、またコスト面からは、さらに進んでダクト７６をバケット構造体６７と一体に成形して構成するものであってもよい。
【００５３】
【発明の効果】
以上説明したように、本発明によれば、遊技盤のセーフ球通路孔から排出されるセーフ球およびアウト球通路孔から排出されるアウト球を、裏セット盤の表面側に形成した遊技済み球集合通路で遊技済み球として集合させ、集合通路で集められた遊技済み球を裏セット盤の下部へ導く遊技済み球排出通路およびこの通路の下方に設けられたダクト部材を通して遊技施設の回収バケットに排出させるように弾球遊技機を構成する。このため、裏セット盤にはアウト球およびセーフ球の個別の集合通路や排出通路等を設ける必要がなく、裏セット盤の構成を簡単にすることができる。また、アウト球とセーフ球とを分離して各々集合させる必要がないため、裏カバーおよび裏セット盤の形状をともに簡明化することができる。さらに、裏セット盤における遊技済み球の排出通路と賞球払出通路とを左右にずらせて重ならないように配設することが可能になり、裏セット盤の裏面を平坦に形成して平坦な基板取付スペースを確保することができる。また、遊技済み球排出通路の下方に位置して上下に延びるダクト部材の内部に段差を設けて上端開口よりも下端開口が小さく形成し、このようなダクト部材を枠部材の裏面側に後方に突出して固定配設しているため下端開口から排出される遊技済み球の落下速度が緩和されるとともに落下方向が一定範囲に規制され、遊技ホール側の回収バケットに向けて遊技済み球が散乱するようなことがない。
【図面の簡単な説明】
【図１】本発明に係るパチンコ機の正面図である。
【図２】上記パチンコ機の裏面側を示す背面図である。
【図３】上記パチンコ機を構成する裏セット盤から制御基板等を取り外した状態で示す背面図である。
【図４】上記パチンコ機を構成する前枠および遊技盤の裏面側を、裏セット盤を取り外した状態で示す背面図である。
【図５】上記パチンコ機を構成する裏セット盤の表面側を遊技盤を取り外した状態で示す斜視図である。
【図６】図３に示す裏セット盤の下部を拡大して示す背面図である。
【図７】図６の矢印VII−VIIに沿った断面図である。
【図８】図６の矢印VIII−VIIIに沿った断面図である。
【図９】図６の矢印IX−IXに沿った断面図である。
【図１０】上記パチンコ機における賞球バケット近傍部を主として示す背面図である。
【図１１】図１０の矢印XI−XIに沿った矢視図である。
【図１２】上記パチンコ機における賞球バケット近傍部を主として示す斜視図である。
【図１３】図８の矢印XIII−XIIIに沿った断面図である。
【図１４】図８の矢印XIII−XIIIに沿った断面図であり裏セット盤を開いた状態を示す説明図である。
【符号の説明】
ＢＳＰ  裏セット盤
ＰＡ  遊技領域
ＰＭ  パチンコ機
１  外枠
２  前枠
２ａ  収容枠
３ａ，３ｂ  ヒンジ部材
４  施錠装置
５  ガラス扉
６  上球皿
６ａ  球皿部
６ｂ  球抜きレバー
６ｃ  球抜き口
６ｅ  通出樋
７  下球皿
７ａ  球皿部
７ｅ  球出口
８  操作ハンドル
９  打球発射装置
１０  遊技補助盤
１０ｅ  通出口
１６  集合回収口
１７  係合レバー
１８  ヒンジ
１９  閉鎖レバー
２０  遊技盤
２１  化粧板
２２  案内レール（２２ａ  外レール、２２ｂ  内レール）
２３  風車
２４  一般入賞具
２４ｈ  セーフ球通路孔
２５  始動入賞具
２６  アタッカー装置
２６ｈ  セーフ球通路孔
２７  アウト口
２７ｈ  アウト球通路孔
２８  図柄表示装置
２９  裏カバー
３０  基枠体
３１  窓口
３２  蓋部材
３３  ガード壁
４０  球貯留供給機構
４１  タンク部材
４２  整列樋部材
４２ａ  偏向出口
４３  球止め部材
５０  賞球払出機構
５１  賞球待機通路
５２  送球カセット
５３  賞球検出センサ
６０  賞球払出経路
６１  上球皿払出通路
６１ｅ  賞球出口
６１ｇ  ガイド部材
６２  仕切壁
６３ａ  第１迂回路
６３ｂ  第２迂回路
６５  下球皿払出通路
６５ｅ  排出開口
６６ａ  詰まり検知レバー
６６ｂ  詰まり検知スイッチ
６７  バケット構造体
６８  賞球バケット
６８ａ  後方開口
６８ｂ  後方開口
６８ｓ  バケット空間
６８ｗ  返し壁
６９  支持脚
７０  遊技済み球排出経路
７１  遊技済み球集合通路
７１ａ  第１集合樋
７１ｂ  第２集合樋
７１ｃ  第３集合樋
７２  壁面部
７３  天井壁部
７４  導出口
７５  遊技済み球排出通路（７５ａ，７５ｂ，７５ｃ  緩衝部）
７５ｅ  排出口
７６  ダクト（７６ａ上端開口，７６ｂ  下端開口）
８０  基板取り付け部
８１  主制御基板取り付け部
８２  賞球制御基板取り付け部
８３  ランプ・音声制御基板取り付け部
８４  電源基板取り付け部
９１  主制御基板
９２  賞球制御基板
９３  ランプ・音声制御基板
９４  電源基板
９５  中継基板
９６  ターミナル基板
９７  画像制御基板
【図１】
0003938860.tif 000002
【図２】
0003938860.tif 000003
【図３】
0003938860.tif 000004
【図４】
0003938860.tif 000005
【図５】
0003938860.tif 000006
【図６】
0003938860.tif 000007
【図７】
0003938860.tif 000008
【図８】
0003938860.tif 000009
【図９】
0003938860.tif 000010
【図１０】
0003938860.tif 000011
【図１１】
0003938860.tif 000012
【図１２】
0003938860.tif 000013
【図１３】
0003938860.tif 000014
【図１４】
0003938860.tif 000015